(57)【要約】      （修正有）【課題】バックの中のポケットや、バックの淵等に簡単に脱着できるデザイン性の高い多機能クリップを提供する。【解決手段】装飾金具１をクリップ上部に取り付けできる挟みクリップ本体に結合・分離貫通孔２を設け、リング部５や金具６に取り付けたキーなどを係着するための係止環又は紐状の索をそれぞれ結合・分離可能に連結した。挟みクリップ本体の金属部分を革や布で包むのが好ましい。【選択図】図１
0003208930.tif 000002
【実用新案登録請求の範囲】
【請求項１】
装飾金具をクリップ上部に取り付けできる挟みクリップ本体に結合・分離できる貫通孔を設け、リング部や金具に取り付けたキーなどを係着するための係止環又は紐状の索をそれぞれ連結したことを特徴とする多機能クリップ
【請求項２】
挟みクリップ本体の金属部分をそれぞれの革や布等で包んだ請求項１のキーホルダー
【考案の詳細な説明】
【技術分野】
【０００１】本考案は装飾を施したクリップにキーホルダーやパスケース、携帯電話等の使用頻度の高い物を簡単に脱着可能なクリップに関するものである。
【背景技術】
【０００２】バックの中で、自宅やその他建物の鍵や、自転車や車等の鍵・その他携帯する鍵は一般的にはキーホルダーに付けたり、キーケース等に入れ保持し、パスケースや携帯電話等の使用頻度の高い物もバックの中で雑然と置かれていた。
【先行技術文献】
【特許文献】
【０００３】
【特許文献１】特開平１１−１９８１３号公報
【特許文献２】特開２００１−３０３８１１号公報
【考案の概要】
【考案が解決しようとする課題】
【０００４】本考案は、バックの中に入り込んで探しにくい鍵やパスケース、携帯電話等の使用頻度の高い物を探すのは毎日の生活の中で負担である。
従って、装飾を施したクリップに鍵や、パスケース、携帯電話等の使用頻度の高い物を繋げることにより、バックの中で容易に取り出しかつ移動が可能になり、前途の欠点を解決しようとするものである。
【課題を解決するための手段】
【０００５】本考案は、装飾を施したクリップにキーホルダー保持する機能と共に音や光の機能を併せ持ち、クリップに鍵をつけることにより、鍵の所在位置をバックのポケットや淵に留め置くことが可能である。
なお装飾を施すことにより大きさが確保され、クリップを動かしやすくバックの中で目立つうえに、音や光の機能も追加できる。
クリップで固定されているので、バックの中で鍵が紛れたり、バックから鍵が飛び出さず、取り出しかつ移動が可能になり問題点を解決している。
【考案の効果】
【０００６】本考案は、装飾を施したクリップに鍵やパスケース、携帯電話等の使用頻度の高い物を保持する機能を持たせることにより、貫通孔を付けることでアクセサリーの金属等が変更可能となり、使う側の利便性により音の機能を追加したり、光の機能を追加して、暗い所でも取り出しやすく機能性が高くなっている。
クリップに施した装飾も、クリップを動かしやすくする大き目のものや、様々な趣味嗜好に合わせてデザインしファッション性も高めている。
クリップ部を革や布で包むことにより、クリップの装着面の損傷を防ぎ年齢性別を問わずデザインを変えることができる。
音のなる鈴や光を放つＬＥＤライト等も、アクセサリーの金具等を使用している為、使用者も用途に応じて変更可能となり、鍵等の場所を音や光も確認できる。
【図面の簡単な説明】
【０００７】
【図１】装飾を施したクリップにキーホルダーを取り付けた図である。
【図２】本考案を横から見た図である。
【図３】本考案を革や布等で包み、キーホルダーを装着した使用例
【図４】本考案に様々なデザインの装飾品を装着するときの図である。
【図５】本考案に鍵やパスケース、携帯電話等の使用頻度の高い物を装着した図である。
【図６】本考案に鈴とキーホルダーを装着した使用例
【図７】本考案に使用者がカニカン等の金具を用いて変更可能にした時の図である。
【図８】本考案をバックに装着した時の図である。
【図９】本考案をポケットに装着した時の図である。
【考案を実施するための形態】
【０００８】装飾を施したクリップ本体は、貫通孔の付いた金属を使用し、装飾はデザイン性にも優れ立体の金属でできた様々なパーツや装飾用ストーンを飾ることで、クリップを開閉しやすくしている。
クリップ本体の貫通孔に丸カン・カニカン等の金具や紐を取り付け可能である。
装飾部下に穴を付けることもでき、キーホルダーや鈴・ストラップ等を使用者用途により、取り付け可能となっている。
【実施例】
【０００９】以下、添付図面に従って位置実施例を説明する。図１はクリップの２に４、５と６を装着した時の使用例である。
図２は、２はクリップ本体に大き目に作ってあるので適度に動きやすく、８・１０等のアクセサリー金具、紐やチェーン等を通すことで使用者の用途により取り付け可能となる。
装飾部下に穴を付けることもでき、クリップ前の部分にも８・１０等の金具で１１等を取り付け可能となる。図３は、クリップ部分に９で包んだ図である。図４は、３にデザイン性にも優れた１のような立体の金属でできた様々なパーツや装飾用ストーンを取り付けた図である。図５は、本考案に１２や１３、１４・１５等の使用頻度の高い物を付けた図である。図６は、装飾部に１１をつけ、２部分に４を取り付けた図である。図７は、装飾部下に穴を付けた時に１０を用いて１１を付けた図である。図８は、バックの本体・内ポケット・外ポケットにクリップを取り付けた図である。
図９は、衣類のポケットに取り付けた時の図である。
【産業上の利用可能性】
【００１０】
【符号の説明】
【００１１】１  装飾具
２  貫通孔
３  挟みクリップ
４  キーホルダーパーツ
５  リング部
６  金具
７  装飾部の穴
８  係止環
９  革や布
１０  カニカン
１１  鈴
１２  鍵
１３  パスケース
１４  携帯電話
１５  グローブクリップ
１６  ボールチェーン
１７  ストラップ等の紐
【図１】
0003208930.tif 000003
【図２】
0003208930.tif 000004
【図３】
0003208930.tif 000005
【図４】
0003208930.tif 000006
【図５】
0003208930.tif 000007
【図６】
0003208930.tif 000008
【図７】
0003208930.tif 000009
【図８】
0003208930.tif 000010
【図９】
0003208930.tif 000011
【手続補正書】
【提出日】平成28年11月7日(2016.11.7)
【手続補正１】
【補正対象書類名】実用新案登録請求の範囲
【補正対象項目名】全文
【補正方法】変更
【補正の内容】
【実用新案登録請求の範囲】
【請求項１】
装飾金具をクリップ上部に取り付けできる挟みクリップ本体に結合・分離できる貫通孔を設け、リング部や金具に取り付けたキーなどを係着するための係止環又は紐状の索をそれぞれ連結したことを特徴とする多機能クリップ
【請求項２】
前記挟みクリップ本体の金属部分を革や布で包んだことを特徴とする、請求項１の多機能クリップ
【手続補正４】
【補正対象書類名】明細書
【補正対象項目名】全文
【補正方法】変更
【補正の内容】
【考案の詳細な説明】
【技術の分野】
【０００１】本考案は装飾を施したクリップにキーホルダーやパスケース、携帯電話などの使用頻度の高い物を簡単に脱着可能な多機能クリップに関するものである。
【背景技術】
【０００２】バックの中で、自宅やその他建物の鍵や、自転車や車等の鍵・その他携帯する鍵は一般的にはキーホルダーに付けたり、キーケースなどに入れ保持し、パスケースや携帯電話などの使用頻度の高い物もバックの中で雑然と置かれていた。
【先行技術文献】
【特許文献】
【０００３】
【特許文献１】特開平１１−１９８１３号公報
【特許文献２】特開２００１−３０３８１１号公報
【考案の概要】
【考案が解決しようとする課題】
【０００４】本考案は、バックの中に入り込んで探しにくい鍵やパスケース、携帯電話などの使用頻度の高い物を探すのは毎日の生活の中で負担である。
従って、装飾を施したクリップに鍵や、パスケース、携帯電話などの使用頻度の高い物を繋げることにより、バックの中で容易に取り出しかつ移動が可能になり、前途の欠点を解決しようとするものである。
【課題を解決するための手段】
【０００５】本考案は、装飾を施したクリップにキーホルダー保持する機能と共に音や光の機能を併せ持ち、クリップに鍵をつけることにより、鍵の所在位置をバックのポケットや淵に留め置くことが可能である。
なお装飾を施すことにより大きさが確保され、クリップを動かしやすくバックの中で目立つうえに、音や光の機能も追加できる。
クリップで固定されているので、バックの中で鍵が紛れたり、バックから鍵が飛び出さず、取り出しかつ移動が可能になり問題点を解決している。
【考案の効果】
【０００６】本考案は、装飾を施したクリップに鍵やパスケース、携帯電話などの使用頻度の高い物を保持する機能を持たせることにより、貫通孔を付けることでアクセサリーの金属等が変更可能となり、使う側の利便性により音の機能を追加したり、光の機能を追加して、暗い所でも取り出しやすく機能性が高くなっている。
クリップに施した装飾も、クリップを動かしやすくする大き目のものや、様々な趣味嗜好に合わせてデザインしファッション性も高めている。
クリップ部を革や布で包むことにより、クリップの装着面の損傷を防ぎ年齢性別を問わずデザインを変えることができる。
音のなる鈴や光を放つＬＥＤライト等も、アクセサリーの金具を使用している為、使用者も用途に応じて変更可能となり、鍵の場所を音や光も確認できる。
【図面の簡単な説明】
【０００７】
【図１】装飾を施したクリップにキーホルダーを取り付けた図である。
【図２】本考案を横から見た図である。
【図３】本考案を革や布で包み、キーホルダーを装着した使用例
【図４】本考案に様々なデザインの装飾品を装着するときの図である。
【図５】本考案に鍵やパスケース、携帯電話などの使用頻度の高い物を装着した図である。
【図６】本考案に鈴とキーホルダーを装着した使用例
【図７】本考案に使用者がアクセサリーの金具を用いて変更可能にした時の図である。
【図８】本考案をバックに装着した時の図である。
【図９】本考案をポケットに装着した時の図である。
【考案を実施するための形態】
【０００８】装飾を施したクリップ本体は、貫通孔の付いた金属を使用し、装飾はデザイン性にも優れ、立体の金属でできたアクセサリーパーツや、装飾用ストーンを飾ることで、クリップを開閉しやすくしている。
クリップ本体の貫通孔に丸カン・カニカンなどのアクセサリー金具や紐を取り付け可能である。
装飾部下に穴を付けることもでき、キーホルダーや鈴・ストラップなどを使用者用途により、取り付け可能となっている。
【実施例】
【０００９】以下、添付図面に従って位置実施例を説明する。図１はクリップの２に４、５と６を装着した時の使用例である。
図２は、２はクリップ本体に大き目に作ってあるので適度に動きやすく、８・１０等のアクセサリー金具、紐やチェーンなどを通すことで使用者の用途により取り付け可能となる。
装飾部下に穴を付けることもでき、クリップ前の部分にも８・１０等の金具で１１等を取り付け可能となる。図３は、クリップ部分に９で包んだ図である。図４は、３にデザイン性にも優れた１のような立体の金属でできたなアクセサリーパーツや装飾用ストーンを取り付けた図である。図５は、本考案に１２や１３、１４・１５等の使用頻度の高い物を付けた図である。図６は、装飾部に１１をつけ、２部分に４を取り付けた図である。図７は、装飾部下に穴を付けた時に１０を用いて１１を付けた図である。図８は、バックの本体・内ポケット・外ポケットにクリップを取り付けた図である。図９は、衣類のポケットに取り付けた時の図である。
【符号の説明】
【００１０】１  装飾具
２  貫通孔
３  挟みクリップ
４  キーホルダーパーツ
５  リング部
６  金具
７  装飾部の穴
８  係止環
９  革や布
１０  カニカン
１１  鈴
１２  鍵
１３  パスケース
１４  携帯電話
１５  グローブクリップ
１６  ボールチェーン
１７  ストラップ等の紐